(57)【特許請求の範囲】
【請求項１】
ファクシミリ機能と、
そのファクシミリ機能の作動中に通信回線を介して入力される入力情報から発呼側の識別情報を検出する検出手段と、
その検出手段により検出された識別情報を順次記憶する識別情報記憶手段と、
前記識別情報記憶手段に記憶されている識別情報を表示させる表示手段と、
前記識別情報記憶手段に前記識別情報が記憶されている状態で第１の出力指示手段による指示を受け付けた時点で開始され、停止指示手段が操作されるまで前記識別情報記憶手段に記憶されている識別情報を自動的に順次呼び出し、前記表示手段に自動的に切り替え表示させると共に、リダイヤルを指示するリダイヤル指示手段が操作された場合であっても、リダイヤルを受け付けないように制御する第１の表示制御手段と、
前記識別情報記憶手段に前記識別情報が記憶されている状態で第２の出力指示手段による指示を受け付けた時点で開始され、前記識別情報記憶手段に記憶されている識別情報を表示させた状態で、次の表示候補の表示に切り替えるために操作される選択指示手段による操作が行われると、次の識別情報を前記識別情報記憶手段から読み出して切り替え表示させると共に、リダイヤルを指示するリダイヤル指示手段が操作された場合に、その時点で表示手段に表示されている識別情報へのリダイヤルを受け付ける第２の表示制御手段と、を有することを特徴とする通信端末装置。
【請求項２】
前記第１の表示制御手段及び第２の表示制御手段による前記識別情報の表示中に、表示制御を中止するための表示中止指示手段が操作されたか否かを判断する中止判断手段を備え、
前記中止判断手段により、前記表示中止指示手段が操作されたと判断された場合には、前記第１の表示制御手段及び第２の表示制御手段は、前記識別情報の表示を中止することを特徴とする請求項１に記載の通信端末装置。
【請求項３】
前記識別情報記憶手段に記憶されている識別情報を印字出力させる印字手段と、
前記印字手段による識別情報の印字出力開始を指示する印字出力指示手段と、
を備えることを特徴とする請求項１又は請求項２に記載の通信端末装置。
【請求項４】
発呼側の名称と、その発呼側の識別情報とを対応付けて予め記憶している発呼側情報記憶手段と、
前記検出手段によって検出された識別情報に対応する発呼側の名称が前記発呼側情報記憶手段に記憶されているか否かを判断する判断手段とを備え、
その判断手段によって発呼側の名称が記憶されていると判断された場合には、前記識別情報と共に、発呼側の名称を印字手段により印字出力、または表示手段により表示させることを特徴とする請求項１乃至請求項３のいずれかに記載の通信端末装置。
【請求項５】
前記検出手段によって認識される検出情報は、コーラーＩＤに含まれる発呼側の電話番号であることを特徴とする請求項４に記載の通信端末装置。
【請求項６】
通信回線を介して入力される入力情報から発呼側の識別情報を検出する検出手段と、
その検出手段により検出された識別情報を順次記憶する識別情報記憶手段と、
前記識別情報記憶手段に記憶されている識別情報を表示させる表示手段と、
前記識別情報記憶手段に前記識別情報が記憶されている状態で第１の出力指示手段による指示を受け付けた時点で開始され、停止指示手段が操作されるまで前記識別情報記憶手段に記憶されている識別情報を自動的に順次呼び出し、前記表示手段に自動的に切り替え表示させると共に、リダイヤルを指示するリダイヤル指示手段が操作された場合であっても、リダイヤルを受け付けないように制御する第１の表示制御手段と、
前記識別情報記憶手段に前記識別情報が記憶されている状態で第２の出力指示手段による指示を受け付けた時点で開始され、前記識別情報記憶手段に記憶されている識別情報を表示させた状態で、次の表示候補の表示に切り替えるために操作される選択指示手段による操作が行われると、次の識別情報を前記識別情報記憶手段から読み出して切り替え表示させると共に、リダイヤルを指示するリダイヤル指示手段が操作された場合に、その時点で表示手段に表示されている識別情報へのリダイヤルを受け付ける第２の表示制御手段と、を有することを特徴とする通信端末装置。
【発明の詳細な説明】
【０００１】
【発明の属する技術分野】
本発明は、ファクシミリ機能を備えた通信端末装置に関し、特に、そのファクシミリ機能が作動中に通信回線を介して入力される入力情報から発呼側の識別情報を検出して、ファクシミリ機能終了後にその発呼側の識別情報を報知手段によって報知することにより、ファクシミリ機能作動中に入力された入力情報の発呼側を確実に知ることができる通信端末装置に関するものである。
【０００２】
【従来の技術】
従来より、電話機の機能やファクシミリ機能等を備えた通信端末装置が知られている。かかる通信端末装置では、電話機の機能により通話ができるとともに、ファクシミリ機能により画像データや文書データ等を送受信できる。
【０００３】
【発明が解決しようとする課題】
しかしながら、従来の通信端末装置においては、ファクシミリ機能の作動中に通信回線を介して呼出信号の入力があっても、ファクシミリ機能の作動中は切り換えることができず、また、この呼出信号の有無や相手先を知ることができないため、適切な対応をとることが困難であった。
【０００４】
そこで、本発明は、上述した問題点を解決するためになされたものであり、ファクシミリ機能の作動中に通信回線を介して入力された入力情報の発呼側の識別情報を認識して記憶し、このファクシミリ機能終了後にその発呼側の識別情報を表示又は印字出力することにより、ファクシミリ機能作動中に受信した発呼側の相手先名や電話番号等を確実に知ることができる通信端末装置を提供することを目的とする。
【０００５】
【課題を解決するための手段】
前記目的を達成するため請求項１に係る通信端末装置は、ファクシミリ機能と、そのファクシミリ機能の作動中に通信回線を介して入力される入力情報から発呼側の識別情報を検出する検出手段と、その検出手段により検出された識別情報を順次記憶する識別情報記憶手段と、前記識別情報記憶手段に記憶されている識別情報を表示させる表示手段と、前記識別情報記憶手段に前記識別情報が記憶されている状態で第１の出力指示手段による指示を受け付けた時点で開始され、停止指示手段が操作されるまで前記識別情報記憶手段に記憶されている識別情報を自動的に順次呼び出し、前記表示手段に自動的に切り替え表示させると共に、リダイヤルを指示するリダイヤル指示手段が操作された場合であっても、リダイヤルを受け付けないように制御する第１の表示制御手段と、前記識別情報記憶手段に前記識別情報が記憶されている状態で第２の出力指示手段による指示を受け付けた時点で開始され、前記識別情報記憶手段に記憶されている識別情報を表示させた状態で、次の表示候補の表示に切り替えるために操作される選択指示手段による操作が行われると、次の識別情報を前記識別情報記憶手段から読み出して切り替え表示させると共に、リダイヤルを指示するリダイヤル指示手段が操作された場合に、その時点で表示手段に表示されている識別情報へのリダイヤルを受け付ける第２の表示制御手段と、を有することを特徴とする。
【０００６】
このような特徴を有する請求項１に係る通信端末装置によれば、ファクシミリ機能の作動中に通信回線を介して入力情報が入力された場合に、この入力情報から発呼側の識別情報を検出して識別情報記憶手段に順次記憶される。そして、第１の出力指示手段を介して第１の表示制御手段による表示を指示した場合には、識別情報記憶手段に記憶されている識別情報が自動的に順次呼び出され、表示手段に自動的に切り替え表示される。また、第２の出力指示手段を介して第２の表示制御手段による表示を指示した場合には、識別情報記憶手段に記憶されている識別情報が表示された状態で、次の表示候補の表示に切り替えるために操作される選択指示手段による操作が行われると、次の識別情報が識別情報記憶手段から読み出されて切り替え表示されると共に、リダイヤルを指示するリダイヤル指示手段が操作された場合には、その時点で表示手段に表示されている識別情報へのリダイヤルが行われる。
これにより、ファクシミリ機能作動中に受信した入力情報の発呼側の識別情報を確実に知ることができるため、ファクシミリ機能の作動中に他の通信装置から呼出信号の入力があった場合に、その呼出しにその場で応じることができなくても、識別情報に基づいて発呼者を特定できるので、ファクシミリ機能の動作終了後に適切に対応することができる。
【０００７】
また、請求項２に係る通信端末装置は、請求項１に記載の通信端末装置において、前記第１の表示制御手段及び第２の表示制御手段による前記識別情報の表示中に、表示制御を中止するための表示中止指示手段が操作されたか否かを判断する中止判断手段を備え、前記中止判断手段により、前記表示中止指示手段が操作されたと判断された場合には、前記第１の表示制御手段及び第２の表示制御手段は、前記識別情報の表示を中止することを特徴とする。
【０００８】
このような特徴を有する請求項２に係る通信端末装置によれば、請求項１に記載の通信端末装置において、第１の表示制御手段及び第２の表示制御手段による識別情報の表示中に、表示中止指示手段を操作した場合には、この識別情報の表示が中止されるため、表示手段による相手先の識別情報の表示を表示中止指示手段を介して任意の時点で中止することが可能となる。
【０００９】
また、請求項３に係る通信端末装置は、請求項１又は請求項２に記載の通信端末装置において、前記識別情報記憶手段に記憶されている識別情報を印字出力させる印字手段と、前記印字手段による識別情報の印字出力開始を指示する印字出力指示手段と、を備えることを特徴とする。
【００１０】
このような特徴を有する請求項３に係る通信端末装置によれば、請求項１又は請求項２に記載の通信端末装置において、印字出力指示手段を介して印字手段による識別情報の印字出力開始を指示した場合には、識別情報記憶手段に記憶されている識別情報が印字出力される。これにより、ファクシミリ機能終了後に、ファクシミリ機能作動中に受信した発呼側の相手先名や電話番号等を確実に知ることができる。
【００１１】
【００１２】
【００１３】
【００１４】
【００１５】
【００１６】
【００１７】
また、請求項４に係る通信端末装置は、請求項１乃至請求項３のいずれかに記載の通信端末装置において、発呼側の名称と、その発呼側の識別情報とを対応付けて予め記憶している発呼側情報記憶手段と、前記検出手段によって検出された識別情報に対応する発呼側の名称が前記発呼側情報記憶手段に記憶されているか否かを判断する判断手段とを備え、その判断手段によって発呼側の名称が記憶されていると判断された場合には、前記識別情報と共に、発呼側の名称を印字手段により印字出力、または表示手段により表示させることを特徴とする。
【００１８】
このような特徴を有する請求項４に係る通信端末装置によれば、請求項１乃至請求項３のいずれかに記載の通信端末装置において、発呼側情報記憶手段に予め発呼側の名称と発呼側の識別情報とが対応付けられて記憶されており、ファクシミリ機能作動中に受信した入力情報の発呼側の識別情報が発呼側情報記憶手段に記憶されているかどうかが判断手段によって判断され、この識別情報が記憶されている場合には、発呼側の識別情報とそれに対応する発呼側の名称が印字手段によって印字出力、または表示手段によって表示される。
これにより、ファクシミリ機能作動中に受信した入力情報の発呼側の名称が印字出力又は表示されるため、ファクシミリ機能作動中に受信した入力情報の優先度等を容易に判断することができ、より適切に対応することができる。
【００１９】
【００２０】
【００２１】
また、請求項５に係る通信端末装置は、請求項４に記載の通信端末装置において、前記検出手段によって認識される検出情報は、コーラーＩＤに含まれる発呼側の電話番号であることを特徴とする。
【００２２】
このような特徴を有する請求項５に係る通信端末装置によれば、請求項４に記載の通信端末装置において、コーラーＩＤに含まれる発呼側の電話番号が検出手段によって検出される。
これにより、前記発呼側情報記憶手段に発呼側の名称と対応させて発呼側の電話番号を記憶させればよいため、識別情報の登録が容易になると共に、該発呼側情報記憶手段の記憶容量を少なくすることが可能である。また、発呼側情報記憶手段の発呼側の識別情報を検索する場合にも、市外局番、市内局番、又は加入者番号別に検索することが可能となるため、検索を効率的に行うことが可能となる。
更に、請求項６に係る通信端末装置は、通信回線を介して入力される入力情報から発呼側の識別情報を検出する検出手段と、その検出手段により検出された識別情報を順次記憶する識別情報記憶手段と、前記識別情報記憶手段に記憶されている識別情報を表示させる表示手段と、前記識別情報記憶手段に前記識別情報が記憶されている状態で第１の出力指示手段による指示を受け付けた時点で開始され、停止指示手段が操作されるまで前記識別情報記憶手段に記憶されている識別情報を自動的に順次呼び出し、前記表示手段に自動的に切り替え表示させると共に、リダイヤルを指示するリダイヤル指示手段が操作された場合であっても、リダイヤルを受け付けないように制御する第１の表示制御手段と、前記識別情報記憶手段に前記識別情報が記憶されている状態で第２の出力指示手段による指示を受け付けた時点で開始され、前記識別情報記憶手段に記憶されている識別情報を表示させた状態で、次の表示候補の表示に切り替えるために操作される選択指示手段による操作が行われると、次の識別情報を前記識別情報記憶手段から読み出して切り替え表示させると共に、リダイヤルを指示するリダイヤル指示手段が操作された場合に、その時点で表示手段に表示されている識別情報へのリダイヤルを受け付ける第２の表示制御手段と、を有することを特徴とする。
このような特徴を有する請求項６に係る通信端末装置によれば、通信回線を介して入力情報が入力された場合に、この入力情報から発呼側の識別情報を検出して識別情報記憶手段に順次記憶される。そして、第１の出力指示手段を介して第１の表示制御手段による表示を指示した場合には、識別情報記憶手段に記憶されている識別情報が自動的に順次呼び出され、表示手段に自動的に切り替え表示される。また、第２の出力指示手段を介して第２の表示制御手段による表示を指示した場合には、識別情報記憶手段に記憶されている識別情報が表示された状態で、次の表示候補の表示に切り替えるために操作される選択指示手段による操作が行われると、次の識別情報が識別情報記憶手段から読み出されて切り替え表示されると共に、リダイヤルを指示するリダイヤル指示手段が操作された場合には、その時点で表示手段に表示されている識別情報へのリダイヤルが行われる。
これにより、通信回線を介して受信した入力情報の発呼側の識別情報を確実に知ることができるため、他の通信装置から呼出信号の入力があった場合に、その呼出しにその場で応じることができなくても、識別情報に基づいて発呼者を特定できるので、ファクシミリ機能の動作終了後に適切に対応することができる。
【００２３】
【発明の実施の形態】
以下、本発明に係る通信端末装置について、本発明をファクシミリ装置につき具体化した実施形態に基づいて図面を参照しつつ詳細に説明する。先ず、本実施形態に係るファクシミリ装置の概略構成について図１及び図２に基づき説明する。図１は本実施形態に係るファクシミリ装置の要部の回路ブロック図である。図２は、本実施形態に係るＩＤテーブルの一例を示す図である。
【００２４】
図１において、ファクシミリ装置の概略回路構成は、ＣＰＵ１、ＮＣＵ２、ＲＡＭ３、モデム４、ＲＯＭ５、ＥＥＰＲＯＭ６、ゲートアレイ７、コーデック８、ＤＭＡＣ９、読取部１１、記録部１２、操作部１３、表示部１４、タイマー１５、及び電話機１６等を備えている。ＣＰＵ１、ＮＣＵ２、ＲＡＭ３、モデム４、ＲＯＭ５、ＥＥＰＲＯＭ６、ゲートアレイ７、コーデック８、ＤＭＡＣ９、及びタイマー１５は、バス線により相互に接続されている。また、ゲートアレイ７には、読取部１１、記録部１２、操作部１３、及び表示部１４が接続されている。また、ＮＣＵ２には、モデム４、電話機１６及び電話回線２１が接続されている。
【００２５】
ＣＰＵ１は、ファクシミリ装置全体を制御する。ＮＣＵ２は、電話回線２１に接続されて網制御を行う。ＲＡＭ３は、画像情報等の各種ディジタルデータを記憶する。モデム４は、送信データの変調や受信データの復調等を行う。ＲＯＭ５は、ファクシミリ機能等を実行するのに必要な各種プログラムやデータ等を記憶している。ＥＥＰＲＯＭ６は、各種の登録データやフラッグ等を記憶している。この登録データには、発呼側の識別情報である電話番号とこれに対応する発呼側の名称等も含まれており、これらはＩＤテーブル１７（図２参照）としてＥＥＰＲＯＭ６に記憶されている。ゲートアレイ７は、ＣＰＵ１の入出力インターフェースとして機能する。コーデック８は、モデム４により復調された受信画像データを復号し、また、送信画像データを符号化してモデム４に送り、モデム４に変調させる。ＤＭＡＣ９は、ＲＡＭ３等へのメモリアクセスを制御する。読み取り部１１は、光源やＣＣＤセンサや原稿送りモータ等を備えており原稿を読み取って画像信号を出力する。記録部１２は、熱転写プリンタあるいはレーザプリンタ等からなり、画像データに基づいて記録用紙上に画像を記録する。操作部１３は、キースイッチ群等からなり、使用者の操作に応じた操作信号を出力する。表示部１４は、ＬＣＤ等からなり、ＣＰＵ１により制御されて各種の表示を行う表示手段を構成する。タイマー１５は、時計機能を備え、ＣＰＵ１等に日付情報や時刻情報等を出力する。さらに、電話機１６は、相手先との通話装置を構成する。
【００２６】
ここで、ＣＰＵ１は、後述する処理において電話回線２１を介して入力される発呼側のコーラーＩＤからなる識別情報を検出する検出手段を構成している。ＲＡＭ３は、電話回線２１を介して受信したコーラーＩＤから検出された発呼側の識別情報を記憶する識別情報記憶手段を構成している。ＥＥＰＲＯＭ６は、予め登録されたＩＤテーブル１７を記憶する発呼側情報記憶手段を構成し、図２に示すように、ＩＤテーブル１７には、発呼側の識別情報である発呼側の電話番号とこの識別情報に対応する発呼側の名称とが予め登録されている。即ち、電話番号「０５２−１２３−４５６７」に対応する発呼側の名称は「○○○○ガイシャ」、電話番号「０５２−１２３−５６７８」に対応する発呼側の名称は「△△△△ガイシャ」、電話番号「０５２−１２３−６７８９」に対応する発呼側の名称は「×××ガイシャ」等と対応させて記憶されている。また、ＣＰＵ１は、後述する処理において検出手段により検出された識別情報がＩＤテーブル１７に記憶されているかどうか判断する判断手段を構成している。さらに、ＣＰＵ１は、後述する処理において時計手段を構成するタイマー１５からの時刻情報等に基づいて、発呼側の識別情報を検出した時間を検出する受信時間検出手段と、この検出してからの経過時間を計測する時間計測手段を構成している。
また、報知手段として記録部１２は、印字手段を構成し、表示部１４は表示手段を構成している。
さらに、操作部１３には、印字出力指示手段としてに印字スタートキーや印字ストップキー、また、識別情報選択手段としてのリダイヤル選択キー、選択キー、リダイヤルスタートキー、ストップキー等が配置されている。
【００２７】
次に、このように構成されたファクシミリ装置のファクシミリ通信中にコーラーＩＤを受信した場合における受信処理の手順について図３乃至図９に基づいて説明する。尚、コーラーＩＤは呼出信号の静期間に挿入されるものであり、このコーラーＩＤに発呼側の識別情報として電話番号が含まれている。
図３は本実施形態に係るファクシミリ装置のファクシミリ通信中にコーラーＩＤを受信した場合におけるコーラーＩＤ受信処理のメインフローチャートである。図４は本実施形態に係るコーラーＩＤ受信処理のファクシミリ通信中の表示処理のサブフローチャートである。図５は本実施形態に係るコーラーＩＤ受信処理のＩＤ受信処理のサブフローチャートである。図６は本実施形態に係るＩＤ受信処理においてＲＡＭ３に格納される受信ＩＤテーブルの一例を示す図である。図７は本実施形態に係るコーラーＩＤ受信処理の受信ＩＤ表示処理のサブフローチャートである。図８は本実施形態に係るコーラーＩＤ受信処理の印字処理のサブフローチャートである。図９は本実施形態に係るコーラーＩＤ受信処理のリダイヤル処理のサブフローチャートである。
【００２８】
先ず、図３に示されるように、ステップ（以下、Ｓと略記する）１において、ファクシミリ通信中にＮＣＵ２に呼出信号が入力されたかどうか監視する（Ｓ１）。呼出信号が検出されない場合には（Ｓ１：ＮＯ）、表示処理のサブルーチン処理が実行される（Ｓ２）。
【００２９】
次に、表示処理のサブルーチン処理について図４に基づいて説明する。図４に示されるように、表示処理（Ｓ２）は、先ず、コーラーＩＤから構成される識別情報の検出の有無を示す受信済みフラッグがセットされているかどうか判定する（Ｓ１１）。ＥＥＰＲＯＭ６から読み込んだ受信済みフラッグがセットされていない場合、即ち識別情報である発呼側の電話番号等から構成される受信ＩＤがＲＡＭ３に格納されていない場合には（Ｓ１１：ＮＯ）、コーラーＩＤを受信していないため、通常の表示としてタイマー１５から出力される現在の日時が表示部１４に表示されてメイン処理に戻る（Ｓ１２）。本実施形態においては、通常の表示の一例として現在の日時である「９７／１１／１３  １１：２８」が表示されており、これは「１９９７年１１月１３日午前１１時２８分」を表している（Ｓ１２）。
【００３０】
また、ＥＥＰＲＯＭ６から読み込んだ受信済みフラッグがセットされている場合には（Ｓ１１：ＹＥＳ）、コーラーＩＤの受信があったことを表す「ＦＡＸ中に呼出がありました」を表示部１４に表示させて、メイン処理に戻る（Ｓ１３）。これにより、使用者はＦＡＸ通信中に他の通信装置から呼出があり、コーラーＩＤを受信したことを知ることができる。
【００３１】
次に、図３において、呼出信号が入力された場合には（Ｓ１：ＹＥＳ）、ＩＤ受信処理のサブルーチン処理が実行される（Ｓ３）。
【００３２】
次に、ＩＤ受信処理のサブルーチン処理について図５及び図６に基づいて説明する。図５に示されるように、先ず、呼出信号の間に挿入されるコーラーＩＤから発呼側の識別情報である電話番号を読み込む（Ｓ１５）。次に、タイマー１５からその時の日時データを受信日時として読み込む（Ｓ１６）。次に、この発呼側の電話番号に対応する名称をＩＤテーブル１７（図２参照）から検索して読み込む（Ｓ１７）。検索した結果、対応する名称が見つからなければ、この処理は行わない。次に、ＲＡＭ３に格納されている受信ＩＤテーブル１８（図６参照）に、この発呼側の電話番号、受信日時、名称を格納する（Ｓ１８）。
【００３３】
次に、ＥＥＰＲＯＭ６から受信済みフラグを読み込み、受信済みフラグをセットして、再度ＥＥＰＲＯＭ６に格納し、メイン処理に戻る（Ｓ１９）。
【００３４】
ここで、受信ＩＤテーブル１８は、図６に示されるように、発呼側の電話番号、受信日時、名称が受信順に格納されている。図６に一例として示されている受信ＩＤテーブル１８には、１番目に電話番号として「０５２ー１２３ー４５６７」、受信日時として「９７／１１／１３  １０：１３」、名称「○○○○ガイシャ」が格納されており、これは「電話番号０５２−１２３−４５６７、受信日時は、１９９７年１１月１３日午前１０時１３分、発呼側は、○○○○ガイシャ」を表している。また、２番目に電話番号として「０５２ー１２３ー５６７８」、受信日時として「９７／１１／１３  １０：１５」、名称「△△△△ガイシャ」が格納されており、これは「電話番号０５２−１２３−５６７８、受信日時は、１９９７年１１月１３日午前１０時１５分、発呼側は、△△△△ガイシャ」を表している。また、３番目に電話番号として「０５２ー１２３ー６７８９」、受信日時として「９７／１１／１３  １０：１６」、名称「×××ガイシャ」が格納されており、これは「電話番号０５２−１２３−６７８９、受信日時は、１９９７年１１月１３日午前１０時１６分、発呼側は、×××ガイシャ」を表している。
【００３５】
次に、図３に示されるように、ファクシミリ通信が終了したかどうか判定される（Ｓ４）。ファクシミリ通信が終了していない場合には（Ｓ４：ＮＯ）、Ｓ１の処理に戻り、コーラーＩＤの受信の有無が判定される（Ｓ１）。
また、ファクシミリ通信が終了した場合には（Ｓ４：ＹＥＳ）、受信ＩＤ表示処理のサブルーチン処理が実行される（Ｓ５）。
【００３６】
次に、受信ＩＤ表示処理のサブルーチン処理について図７に基づいて説明する。図７に示されるように、受信ＩＤ表示処理（Ｓ５）は、先ず、操作部１３の表示スタートキーが押下されたどうか判定する（Ｓ２１）。この表示スタートキーが押下されていない場合には、メイン処理に戻る（Ｓ２１：ＮＯ）。
また、この表示スタートキーが押下されている場合には（Ｓ２１：ＹＥＳ）、タイマー１５からその時の日時データを読み込み、この日時データを表示時間データとしてＲＡＭ３に格納する（Ｓ２２）。次に、受信ＩＤテーブル１８（図６参照）から１番目の受信ＩＤデータを読み込み、該表示時間データからこの受信ＩＤデータの受信日時データを引き算して１番目の受信ＩＤデータを受信した時間からの経過時間を算出する（Ｓ２３）。次に、該１番目の受信ＩＤデータとこの経過時間をゲートアレイ７を介して表示部１４に表示する（Ｓ２４）。表示の一例として「９７／１１／１３  １０：１３  ○○○○ガイシャ  ０１：１５ケイカ」を示す。これは、「１９９７年１１月１３日午前１０時１３分○○○○ガイシャからのコーラーＩＤを受信し、受信してから１時間１５分経過している。」を表している。
【００３７】
次に、操作部１３の表示ストップキーが押下されているかどうか判定する（Ｓ２５）。表示ストップキーが押下されている場合には、受信ＩＤ表示処理を中止してメイン処理に戻る（Ｓ２５：ＹＥＳ）。
また、表示ストップキーが押下されていない場合には（Ｓ２５：ＮＯ）、次に格納された受信ＩＤデータとして２番目の受信ＩＤデータを受信ＩＤテーブル１８（図６参照）から読み込み、また、ＲＡＭ３から表示時間データを読み込む。そして、該表示時間データからこの受信ＩＤデータの受信日時データを引き算して２番目の受信ＩＤデータを受信した時間からの経過時間を算出し、該２番目の受信ＩＤデータとこの経過時間をゲートアレイ７を介して表示部１４に表示する（Ｓ２６）。２番目に表示される表示の一例として「９７／１１／１３  １０：１５  △△△△ガイシャ  ０１：１３ケイカ」を示す。これは、「１９９７年１１月１３日午前１０時１５分△△△△ガイシャからのコーラーＩＤを受信し、受信してから１時間１３分経過している。」を表している。
【００３８】
次に、受信ＩＤテーブル１８の受信ＩＤデータを全て表示したかどうか判定する（Ｓ２７）。全て表示していない場合には、Ｓ２５以下の処理を繰り返す（Ｓ２７：ＮＯ）。
また、全ての受信ＩＤデータを表示した場合（Ｓ２７：ＹＥＳ）、メイン処理に戻る。
これにより、使用者は、ファクシミリ機能作動中に呼出信号が入力された場合に、その呼出信号の相手先をコーラーＩＤの識別情報により知ることができると共に、このコーラーＩＤを受信してからの経過時間を表示部１４の表示により知ることができる。
尚、表示部１４のサイズが大きい場合は、受信ＩＤデータを一括して表示するように構成することができ、小さい場合は、表示を切り換えることにより順次表示するように構成することができる。
【００３９】
次に、図３に示されるように、印字処理のサブルーチン処理が処理される（Ｓ６）。
【００４０】
次に、印字処理のサブルーチン処理について図８に基づいて説明する。図８に示されるように、印字処理（Ｓ６）は、先ず、操作部１３の印字スタートキーが押下されたかどうか判定する（Ｓ３１）。この印字スタートキーが押下されていない場合には、メイン処理に戻る（Ｓ３１：ＮＯ）。
また、この印字スタートキーが押下されている場合には（Ｓ３１：ＹＥＳ）、タイマー１５からその時の日時データを読み込み、この日時データを印字開始時間データとしてＲＡＭ３に格納する（Ｓ３２）。次に、受信ＩＤテーブル１８（図６参照）から１番目の受信ＩＤデータを読み込み、該印字開始時間データからこの受信ＩＤデータの受信日時データを引き算して１番目の受信ＩＤデータを受信した時間からの経過時間を算出する（Ｓ３３）。次に、該１番目の受信ＩＤデータとこの経過時間をゲートアレイ７を介して記録部１２により印字する（Ｓ３４）。印字の一例として「９７／１１／１３  １０：１３  ○○○○ガイシャ  ０１：１５ケイカ」を示す。これは、「１９９７年１１月１３日午前１０時１３分○○○○ガイシャからのコーラーＩＤを受信し、受信してから１時間１５分経過している。」を表している。
【００４１】
次に、操作部１３の印字ストップキーが押下されているかどうか判定する（Ｓ３５）。印字ストップキーが押下されている場合には、印字処理を中止してメイン処理に戻る（Ｓ３５：ＹＥＳ）。
また、印字ストップキーが押下されていない場合には（Ｓ３５：ＮＯ）、次に格納された受信ＩＤデータとして２番目の受信ＩＤデータを受信ＩＤテーブル１８（図６参照）から読み込み、また、ＲＡＭ３から印字開始時間データを読み込む。そして、該印字開始時間データからこの受信ＩＤデータの受信日時データを引き算して２番目の受信ＩＤデータを受信した時間からの経過時間を算出し、該２番目の受信ＩＤデータとこの経過時間をゲートアレイ７を介して記録部１２により印字する（Ｓ３６）。２番目に印字される印字の一例として「９７／１１／１３  １０：１５  △△△△ガイシャ  ０１：１３ケイカ」を示す。これは、「１９９７年１１月１３日午前１０時１５分△△△△ガイシャからのコーラーＩＤを受信し、受信してから１時間１３分経過している。」を表している。
【００４２】
次に、受信ＩＤテーブル１８の受信ＩＤデータを全て印字出力したかどうか判定する（Ｓ３７）。全て印字出力していない場合には、Ｓ３５以下の処理を繰り返す（Ｓ３７：ＮＯ）。
また、全ての受信ＩＤデータを印字出力した場合には、メイン処理に戻る（Ｓ３７：ＹＥＳ）。
これにより、使用者は、ファクシミリ機能作動中に呼出信号が入力された場合に、その呼出信号の相手先をコーラーＩＤの識別情報により知ることができると共に、このコーラーＩＤを受信してからの経過時間を印字出力により知ることができる。
【００４３】
続いて、図３に示されるように、リダイヤル処理のサブルーチン処理が実行される（Ｓ７）。
【００４４】
次に、リダイヤル処理のサブルーチン処理について図９に基づいて説明する。図９に示されるように、リダイヤル処理（Ｓ７）は、先ず、操作部１３のリダイヤル選択キーが押下されたかどうか判定する（Ｓ４１）。このリダイヤル選択キーが押下されていない場合には、メイン処理に戻る（Ｓ４１：ＮＯ）。
また、このリダイヤル選択キーが押下されている場合には（Ｓ４１：ＹＥＳ）、受信ＩＤテーブル１８（図６参照）から１番目の受信ＩＤデータを読み込み、表示部１４に表示する（Ｓ４２）。表示の一例として「９７／１１／１３  １０：１３  ○○○○ガイシャ」を示す。これは、「リダイヤル先は、１９９７年１１月１３日午前１０時１３分にコーラーＩＤを受信した○○○○ガイシャである。」を表している。
【００４５】
次に、操作部１３の選択キーが押されたかどうか判定する（Ｓ４３）。選択キーが押下されている場合には（Ｓ４３：ＹＥＳ）、次に格納された受信ＩＤデータとして２番目の受信ＩＤデータを受信ＩＤテーブル１８（図６参照）から読み込み、表示部１４に表示する（Ｓ４４）。表示の一例として「９７／１１／１３  １０：１５  △△△△ガイシャ」を示す。これは、「リダイヤル先は、１９９７年１１月１３日午前１０時１５分にコーラーＩＤを受信した△△△△ガイシャである。」を表している。
また、選択キーが押下されていない場合には（Ｓ４３：ＮＯ）、表示部１４の表示内容は変わらない（Ｓ４３：ＮＯ）。
【００４６】
次に、操作部１３のストップキーが押下されたどうか判定する（Ｓ４５）。ストップキーが押下されている場合には、リダイヤル処理を中止してメイン処理に戻る（Ｓ４５：ＹＥＳ）。
また、ストップキーが押下されていない場合には（Ｓ４５：ＮＯ）、次に、操作部１３のリダイヤルスタートキーが押下されていないかどうか判定する（Ｓ４６）。
【００４７】
次に、リダイヤルスタートキーが押下されていない場合には、Ｓ４３以下の処理を繰り返す（Ｓ４６：ＮＯ）。
また、リダイヤルスタートキーが押下されている場合には（Ｓ４６：ＹＥＳ）、表示部１４に表示されている受信ＩＤデータの電話番号先に自動的にリダイヤルされる（Ｓ４７）。そして、電話機１６による通話が終了するまで待ち（Ｓ４８：ＮＯ）、通話が終了すればメイン処理に戻る（Ｓ４８：ＹＥＳ）。これにより、使用者は、希望の発呼側を確認して、確実にリダイヤルすることができる。
【００４８】
次に、図３に示されるように、操作部１３の受信ＩＤクリヤキーが押下されているかどうか判定する（Ｓ８）。この受信ＩＤクリヤキーが押下されていない場合には、Ｓ１以下の処理を繰り返す（Ｓ８：ＮＯ）。
また、この受信ＩＤクリヤキーが押下されている場合には（８：ＹＥＳ）、受信ＩＤテーブル１８（図６参照）および受信済フラッグを、初期化して、Ｓ１以下の処理を繰り返す（Ｓ９）。
【００４９】
以上詳細に説明した通り本実施形態に係るファクシミリ装置では、ファクシミリ通信中に第三者から電話回線２１を介して呼出信号が入力された場合、呼出信号の間に挿入されるコーラーＩＤに含まれる識別情報である電話番号が検出され、この電話番号に対応する登録名称とタイマー１５からの受信時間と共に受信ＩＤデータとして受信ＩＤテーブル１８に記憶され（Ｓ３）、表示スタートキーが押下されると、この記憶された受信ＩＤデータが格納順に順次表示される（Ｓ５）。また、印字スタートキーが押下されると、この記憶された受信ＩＤデータが格納順に順次印字出力される（Ｓ６）。さらに、リダイヤル選択キーが押下されると、リダイヤル先が格納順に順次表示され、リダイヤルスタートキーを押下することにより希望先に自動的にリダイヤルされる（Ｓ７）。
【００５０】
したがって、ファクシミリ通信中に受信したコーラーＩＤの発呼側の電話番号を表示部１４の表示、及び記録部１２による印字出力により確実に知ることができるため、その電話番号によって特定される相手に対して適切に対応することができる。また、コーラーＩＤの発呼側の名称が印字出力又は表示されるため、ファクシミリ通信中に受信したコーラーＩＤの発呼側の優先度等を容易に判断することができ、より適切に対応することができる。さらに、ファクシミリ通信中に受信したコーラーＩＤの受信日時と受信してからの経過時間を発呼側の電話番号と共に正確に知ることができるため、その電話番号によって特定される相手先に対して、より適切に対応することができる。
また、ファクシミリ通信中に受信した入力情報の発呼側の受信ＩＤデータが印字出力されるため、この受信した入力情報の件数や発呼側の電話番号を一見して知ることができ、適切な対応を迅速に行うことができる。また、予め受信ＩＤデータを表示部１４に表示して確認できるため、必要な受信ＩＤデータのみを印字出力することができるため、被記録媒体やインクリボン等を節約することができ、印字出力コストの削減を図ることができる。
また、ファクシミリ通信中に受信したコーラーＩＤの発呼側を任意に選択して自動的にリダイヤルできるため、必要な相手先に確実にリダイヤルすることができる。
さらに、ＥＥＰＲＯＭ６に発呼側の電話番号と対応させて発呼側の名称を予め登録して記憶さればよいため、識別情報の登録が容易になると共に、このＥＥＰＲＯＭ６の記憶容量を少なくすることが可能である。また、ＥＥＰＲＯＭ６の発呼側の識別情報を検索する場合にも、市外局番、市内局番、又は加入者番号別に検索することが可能となるため、検索を効率的に行うことが可能となる。
【００５１】
尚、本発明は前記実施形態に限定されることはなく、本発明の要旨を逸脱しない範囲内で種々の改良、変形が可能であることは勿論である。例えば、以下のようにしてもよい。
（ａ）前記実施形態では、ＩＤテーブル１７の名称をカタカナにしているが、漢字やひらがな入力にしてもよい。
（ｂ）前記実施形態では、ファクシミリ通信終了後に受信ＩＤデータを表示するようにしたが、ファクシミリ通信中に表示できるようにしてもよい。
（ｃ）前記実施形態では、ＩＤテーブル１７に格納されているコーラーＩＤの発呼側の登録名称を表示、印字出力しているが、コーラーＩＤの発呼側の名称がＩＤテーブル１７に登録されていない場合は、発呼側の電話番号を表示、印字出力するようにしてもよい。
（ｄ）前記実施形態では、受信ＩＤデータ全部印字出力するようにしているが、選択した受信ＩＤデータのみ印字出力するようにしてもよい。
【００５２】
【発明の効果】
以上説明した通り請求項１に係る通信端末装置では、ファクシミリ機能の作動中に通信回線を介して入力情報が入力された場合に、この入力情報から発呼側の識別情報を検出して識別情報記憶手段に順次記憶される。そして、第１の出力指示手段を介して第１の表示制御手段による表示を指示した場合には、識別情報記憶手段に記憶されている識別情報が自動的に順次呼び出され、表示手段に自動的に切り替え表示される。また、第２の出力指示手段を介して第２の表示制御手段による表示を指示した場合には、識別情報記憶手段に記憶されている識別情報が表示された状態で、次の表示候補の表示に切り替えるために操作される選択指示手段による操作が行われると、次の識別情報が識別情報記憶手段から読み出されて切り替え表示されると共に、リダイヤルを指示するリダイヤル指示手段が操作された場合には、その時点で表示手段に表示されている識別情報へのリダイヤルが行われる。
これにより、ファクシミリ機能作動中に受信した入力情報の発呼側の識別情報を確実に知ることができるため、ファクシミリ機能の作動中に他の通信装置から呼出信号の入力があった場合に、その呼出しにその場で応じることができなくても、識別情報に基づいて発呼者を特定できるので、ファクシミリ機能の動作終了後に適切に対応することができる通信端末装置を提供することができる。
【００５３】
また、請求項２に係る通信端末装置では、請求項１に記載の通信端末装置において、第１の表示制御手段及び第２の表示制御手段による識別情報の表示中に、表示中止指示手段を操作した場合には、この識別情報の表示が中止されるため、表示手段による相手先の識別情報の表示を表示中止指示手段を介して任意の時点で中止することが可能な通信端末装置を提供することができる。
【００５４】
また、請求項３に係る通信端末装置では、請求項１又は請求項２に記載の通信端末装置において、印字出力指示手段を介して印字手段による識別情報の印字出力開始を指示した場合には、識別情報記憶手段に記憶されている識別情報が印字出力される。これにより、ファクシミリ機能終了後に、ファクシミリ機能作動中に受信した発呼側の相手先名や電話番号等を確実に知ることができる通信端末装置を提供することができる。
【００５５】
【００５６】
【００５７】
【００５８】
また、請求項４に係る通信端末装置では、請求項１乃至請求項３のいずれかに記載の通信端末装置において、発呼側情報記憶手段に予め発呼側の名称と発呼側の識別情報とが対応付けられて記憶されており、ファクシミリ機能作動中に受信した入力情報の発呼側の識別情報が発呼側情報記憶手段に記憶されているかどうかが判断手段によって判断され、この識別情報が記憶されている場合には、発呼側の識別情報とそれに対応する発呼側の名称が印字手段によって印字出力、または表示手段によって表示される。
これにより、ファクシミリ機能作動中に受信した入力情報の発呼側の名称が印字出力又は表示されるため、ファクシミリ機能作動中に受信した入力情報の優先度等を容易に判断することができ、より適切に対応することができる通信端末装置を提供することができる。
【００５９】
【００６０】
また、請求項５に係る通信端末装置では、請求項４に記載の通信端末装置において、コーラーＩＤに含まれる発呼側の電話番号が検出手段によって検出される。
これにより、前記発呼側情報記憶手段に発呼側の名称と対応させて発呼側の電話番号を記憶させればよいため、識別情報の登録が容易になると共に、該発呼側情報記憶手段の記憶容量を少なくすることが可能な通信端末装置を提供することができる。また、発呼側情報記憶手段の発呼側の識別情報を検索する場合にも、市外局番、市内局番、又は加入者番号別に検索することが可能となるため、検索を効率的に行うことが可能な通信端末装置を提供することができる。
更に、請求項６に係る通信端末装置では、通信回線を介して入力情報が入力された場合に、この入力情報から発呼側の識別情報を検出して識別情報記憶手段に順次記憶される。そして、第１の出力指示手段を介して第１の表示制御手段による表示を指示した場合には、識別情報記憶手段に記憶されている識別情報が自動的に順次呼び出され、表示手段に自動的に切り替え表示される。また、第２の出力指示手段を介して第２の表示制御手段による表示を指示した場合には、識別情報記憶手段に記憶されている識別情報が表示された状態で、次の表示候補の表示に切り替えるために操作される選択指示手段による操作が行われると、次の識別情報が識別情報記憶手段から読み出されて切り替え表示されると共に、リダイヤルを指示するリダイヤル指示手段が操作された場合には、その時点で表示手段に表示されている識別情報へのリダイヤルが行われる。
これにより、通信回線を介して受信した入力情報の発呼側の識別情報を確実に知ることができるため、他の通信装置から呼出信号の入力があった場合に、その呼出しにその場で応じることができなくても、識別情報に基づいて発呼者を特定できるので、ファクシミリ機能の動作終了後に適切に対応することができる通信端末装置を提供することができる。
【図面の簡単な説明】
【図１】  本実施形態に係るファクシミリ装置の要部の回路ブロック図である。
【図２】  本実施形態に係るＩＤテーブルの一例を示す図である。
【図３】  本実施形態に係るファクシミリ装置のファクシミリ通信中にコーラーＩＤを受信した場合におけるコーラーＩＤ受信処理のメインフローチャートである。
【図４】  本実施形態に係るコーラーＩＤ受信処理のファクシミリ通信中の表示処理のサブフローチャートである。
【図５】  本実施形態に係るコーラーＩＤ受信処理のＩＤ受信処理のサブフローチャートである。
【図６】  本実施形態に係るＩＤ受信処理においてＲＡＭに格納される受信ＩＤテーブルの一例を示す図である。
【図７】  本実施形態に係るコーラーＩＤ受信処理の受信ＩＤ表示処理のサブフローチャートである。
【図８】  本実施形態に係るコーラーＩＤ受信処理の印字処理のサブフローチャートである。
【図９】  本実施形態に係るコーラーＩＤ受信処理のリダイヤル処理のサブフローチャートである。
【符号の説明】
１                  ＣＰＵ
２                  ＮＣＵ
３                  ＲＡＭ
４                  モデム
６                  ＥＥＰＲＯＭ
１３                操作部
１４                表示部
１５                タイマー
１６                電話機
【図１】
0003978835.tif 000002
【図２】
0003978835.tif 000003
【図３】
0003978835.tif 000004
【図４】
0003978835.tif 000005
【図５】
0003978835.tif 000006
【図６】
0003978835.tif 000007
【図７】
0003978835.tif 000008
【図８】
0003978835.tif 000009
【図９】
0003978835.tif 000010